(57)【要約】【課題】識別番号の設定登録を必要とせず、容易に中継器の増設が可能な中継器及び中継器増設方法並びに無線システムを提供する。【解決手段】無線基地局と指令卓とその間を接続するために使用する中継器とから構成される通信システムにおいて、制御部、ＩＤスイッチ、制御部と上位の中継器（例えば、親機）とにＨＩレベルで接続するＸ接続端子、及び、接地されるＹ接続端子を具備する親機側コネクタ、並びに、制御部と下位の中継器とにＨＩレベルで接続するＹ接続端子、及び、設置されるＸ接続端子を具備する子機側コネクタを備えた。【選択図】図２
2010141503.tif 000002
【特許請求の範囲】
【請求項１】
基地局と指令卓とその間を接続するために使用する中継器とから構成される通信システムにおける中継器において、制御部、ＩＤスイッチ、前記制御部と上位の中継器（例えば、親機）とにＨＩレベルで接続する第１の接続端子、及び、接地される第２の接続端子を具備する親機側コネクタ、並びに、前記制御部と下位の中継器とにＨＩレベルで接続する第２の接続端子、及び、設置される第１の接続端子を具備する子機側コネクタ、を備えたことを特徴とする中継器。
【発明の詳細な説明】
【技術分野】
【０００１】
本発明は、無線基地局と指令卓を増設するための中継器を有する無線システムに関わり、特に複数の中継器を接続増設する技術に関するものである。
【背景技術】
【０００２】
従来、複数の無線基地局と複数の子機間で通信を行う無線通信システムにおいて、複数の基地局を操作するための指令卓も複数あり、複数の指令卓と複数の無線基地局間では、中継器を介して接続している。
中継器が中継可能な無線基地局及び指令卓には、設置台数の制限があり、１台の中継器で設置できる台数は所定の数までであり、例えば、接続できる基地局の数は最大５局、指令卓の数は最大５台までであった。
【０００３】
【特許文献１】特開平３−１１７２４１号公報
【発明の開示】
【発明が解決しようとする課題】
【０００４】
無線基地局や指令卓を、さらに増設するためには、中継器を増設する必要があった。しかし、単に、中継器を接続すると、各中継器の制御部の制御信号が競合してしまうため、例えば、特許文献１に記載されるように、各中継器に識別番号を設定登録する必要があった。
本発明の目的は、識別番号の設定登録を必要とせず、容易に中継器の増設が可能な中継器及び中継器増設方法並びに無線システムを提供することにある。
【課題を解決するための手段】
【０００５】
上記の目的を達成するため、本発明は、中継器の増設用インタフェース（増設用ＩＦ）に複数接続識別用信号を設け、該複数接続識別用信号を、制御部に取り込み、かつ、ＩＤスイッチの状態を制御部に取り込み、これらの状態に基いて、親機と子機の識別を行うものである。
【発明の効果】
【０００６】
本発明によれば、顧客の要望するシステムに柔軟に対応でき、新規開発要素がなくなるので安価なシステムを提供できるようになる。
また、本発明によれば、中継器の構成を共通化できるので、製作面での経済効果があり、かつ、在庫化が可能になり、短納期対応が可能となる。
【発明を実施するための最良の形態】
【０００７】
以下、図面を参照しながら本発明の実施形態を詳細に説明する。なお、各図の説明において、共通な機能を有する構成要素には同一の参照番号を付し、できるだけ説明の重複を避ける。
【０００８】
以下、この発明の一実施例を図１により説明する。図１は、本発明の通信システムの一実施例の構成を示す図で、複数の無線基地局、複数の中継器、及び前記複数の無線基地局を操作するための、複数の指令卓のシステム構成を示す。図１の図は、特に、１台の中継器の内部構成について詳細に示す。１０１−０、１０１−１、‥‥‥、１０１−Ｎは中継器（Ｎは１以上の自然数）、１２０−０、‥‥‥、１２０−Ｍ、及び、１２１−１、１２１−２、‥‥‥、１２Ｎ−１、１２Ｎ−２は基地局（Ｍは２以上の自然数）、１３１−０、‥‥‥、１３０−Ｌ、及び、１３１−１、１３１−２、‥‥‥、１３Ｎ−１、１３Ｎ−２は指令卓（Ｌは２以上の自然数）、１４１−０、１４１−１、‥‥‥、１４１−Ｑは増設用ケーブル（Ｑ＝Ｎ−１）である。また、中継器１０１−０において、１２−１、‥‥‥、１２−Ｍは基地局側インタフェース（基地局側ＩＦ）、１３−１、‥‥‥、１３−Ｌは指令卓側インタフェース（指令卓側ＩＦ）、１５は制御部、１６−０は親機側コネクタ、１７−０は子機側コネクタである。
中継器１０１−０、１０１−１、‥‥‥、１０１−Ｎは、それぞれ、標準で２台、最大で５台の無線基地局１２０−１〜１２０−Ｍと接続可能なように、標準で２台、最大で５台の基地局側ＩＦ１２−１〜１２−Ｍを備えることができる。また、中継器１０１−０、１０１−１、‥‥‥、１０１−Ｎは、それぞれ、標準で２台、最大で５台の指令卓１３０−１〜１３０−Ｌと接続可能なように、標準で２台、最大で５台の指令卓側ＩＦ１３−１〜１３−Ｌを備えることができる。
【０００９】
図１の中継器１０１−０において、基地局側ＩＦ１２−１は、基地局１２０−１から入力される信号（音声、トーン、ＭＳＫ信号、等）を内部処理し、指令卓側ＩＦ１３−１乃至１３−Ｌ、若しくは、親機側コネクタ１６−０又は子機側コネクタ１７−０に出力する。同様にして、基地局側ＩＦ１２−２（図示しない）〜基地局側ＩＦ１２−Ｍは、基地局１２０−２（図示しない）〜基地局１２０−Ｍから入力される信号（音声、トーン、ＭＳＫ信号、等）を内部処理し、指令卓側ＩＦ１３−１乃至１３−Ｌ、若しくは、親機側コネクタ１６−０又は子機側コネクタ１７−０に出力する。
そして、指令卓側ＩＦ１３−１乃至指令卓側ＩＦ１３−Ｌは、入力された信号を中継してそれぞれの指令卓１３０−１〜１３０−Ｌに出力する。指令卓１３０−１〜１３０−Ｌは、入力された信号を処理し、表示等の出力を行う。なお、この時、中継器１０１−０では、親機側コネクタ１６−０に何も接続されていないので、実際には出力されない。また、子機側コネクタ１７−０から出力される信号については後述する。
【００１０】
また、指令卓側ＩＦ１３−１は、オペレータの操作に応じた制御信号を指令卓１３０−１から入力され、内部処理して、基地局側ＩＦ１２−１乃至１２−Ｍ、若しくは、親機側コネクタ１６−０又は子機側コネクタ１７−０に出力する。
そして、基地局側ＩＦ１２−１乃至１２−Ｍは、入力された信号を中継してそれぞれの基地局１２０−１〜１２０−Ｍに出力する。基地局１２０−１〜１２０−Ｍは、入力された信号を処理し、自基地局内の制御等及び送信出力を行う。なお、この時、中継器１０１−０では、親機側コネクタ１６−０に何も接続されていないので、実際には出力されない。また、子機側コネクタ１７−０から出力される信号については後述する。
【００１１】
図１の構成において、中継器１０１−０の子機側コネクタ１７−０と増設用の中継器１０１−１の親機側コネクタ（後述）を増設用ケーブル１４１−０で接続することで中継器の増設が行え、順次増設用ケーブルで増設用の中継器１０１−Ｎを接続することで、増設が行える。ＩＤスイッチ１８は、増設用の中継器１０１−１〜１０１−Ｎの識別に用いている。
また、図１の構成において、増設用の中継器１０１−１〜１０１−Ｎは、中継器１０１−０と同一の構成である。
【００１２】
図２によって、中継器が１台の場合の複数接続識別用信号の状態について説明する。図２は、本発明の中継器が１台の場合の複数接続識別用信号の一実施例を説明するための図である。１０１は中継器、１５は制御部、１６は親機側コネクタ、１７は子機側コネクタ、２０，２１，及び２２は制御部１５の接続端子、２４は親機側コネクタ１６の自機より上位（親機側）の中継機のＸ接続端子とケーブルで接続するためのＸ接続端子、２５は親機側コネクタ１６の自機より上位（親機側）の中継機のＹ接続端子とケーブルで接続するためのＹ接続端子、２６と２９はハイ（ＨＩ）レベル（“１”）に電位を印加するため電気部品、２７は子機側コネクタ１７の自機より下位（子機側）の中継機のＸ接続端子とケーブルで接続するためのＸ接続端子、２８は子機側コネクタ１７の自機より下位（子機側）の中継機のＹ接続端子とケーブルで接続するためのＹ接続端子、２３はＩＤスイッチである。なお、図２の中継器では、基地局側ＩＦと指令卓側ＩＦの部分を省略し図示していない。また、省略した基地局側ＩＦと指令卓側ＩＦの動作は、図１で説明した動作とほぼ同様である。さらに、ＩＤスイッチ２３は、ＩＤを付与するためのスイッチで、接続する中継器の台数（即ち、増設数）を区分する状態や自機自身が親機から数えて何番目に接続されているかを示す番号を設定可能な、例えば、メモリ、例えば、ディップスイッチである。
【００１３】
図２において、ＩＤスイッチ２３は、子機が接続されていないので、＜ＩＤ＞＝“０”に設定される。即ち、“０”は、増設されている中継器がないことを示す。この情報は、ＩＤスイッチ２３から接続端子２０を介して制御部１５に入力される。即ち、親機の中継器１０１は、後述する図４の接続タイプが中継器１台の場合で、状態Ａは“０”である。
親機側コネクタ１６のＸ接続端子２４と制御部１５の接続端子２１とが接続され、電気部品２６によって、ハイレベル（“１”）の状態となっている。また、親機側コネクタ１６のＹ接続端子２５は接地されてロー（ＬＯ）レベル（“０”）となっている。即ち、親機側コネクタ１６のＸ接続端子２４がハイレベルであるから、後述する図４の接続タイプが中継器１台の場合で、状態Ｂは“１”である。
子機側コネクタ１７のＹ接続端子２８と制御部１５の接続端子２２とが接続され、電気部品２９によって、ハイレベル（“１”）の状態となっている。また、子機側コネクタ１７のＸ接続端子２７は接地されて（ロー（ＬＯ）レベル）となっている。即ち、子機側コネクタ１７のＹ接続端子２８がハイレベルであるから、後述する図４の接続タイプが中継器１台の場合で、状態Ｃは“１”である
制御部１５は、接続端子２０〜２２の３つのレベルが“１”の状態か“０”の状態かを判断する。即ち、後述する図４に示すように、端子２０のレベル状態を状態Ａ、端子２１のレベル状態を状態Ｂ、端子２２のレベル状態を状態Ｃとしたとき、上述の図２では、状態Ａ（＜ＩＤ＞＝“０”）、状態Ｂ（＜識別１＞＝１）、及び状態Ｃ（＜識別２＞＝“１”）によって、増設された中継器がないことを認識し、基地局と指令卓との通信を中継する。
【００１４】
次に、図３を用いて、図２の実施例では親機の中継器だけであったところに、中継器がＮ台増設された場合の複数接続識別用信号の状態について説明する。図３は、本発明の中継器が１＋Ｎ台（即ち、親機１台と子機Ｎ台）の場合の複数接続識別用信号の一実施例を説明するための図である。図３の中継器は、図２と同様に、基地局側ＩＦと指令卓側ＩＦの部分を省略し図示していない。３０１−０、３０１−１、‥‥‥、３０１−Ｎは中継器、１５−０、１５−１、‥‥‥、１５−Ｎは制御部、１６−０、１６−１、‥‥‥、１６−Ｎは親機側コネクタ、１７−０、１７−１、‥‥‥、１７−Ｎは子機側コネクタ、２０−０、２０−１、‥‥‥、２０−Ｎ、２１−０、２１−１、‥‥‥、２１−Ｎ、２２−０、２２−１、‥‥‥、２２−Ｎは制御部１５−０、１５−１、‥‥‥、１５−Ｎそれぞれの接続端子、２４−０、２４−１、‥‥‥、２４−Ｎは親機側コネクタ１６−０、１６−１、‥‥‥、１６−ＮそれぞれのＸ接続端子、２５−０、２５−１、‥‥‥、２５−Ｎは親機側コネクタ１６−０、１６−１、‥‥‥、１６−ＮそれぞれのＹ接続端子、２６−０、２６−１、‥‥‥、２６−Ｎ、２９−０、２９−１、‥‥‥、２９−Ｎはハイ（ＨＩ）レベル（“１”）に電位を印加するため電気部品、２７−０、２７−１、‥‥‥、２７−Ｎは子機側コネクタ１７−０、１７−１、‥‥‥、１７−ＮそれぞれのＸ接続端子、２８−０、２８−１、‥‥‥、２８−Ｎは子機側コネクタ１７−０、１７−１、‥‥‥、１７−ＮそれぞれのＹ接続端子、２３−０、２３−１、‥‥‥、２３−ＮはＩＤスイッチ、１４１−０Ｘ、１４１−１Ｘ、‥‥‥、１４１−ＱＸは２７−０、２７−１、‥‥‥、２７−Ｎ同士を接続するＸ端子間接続用増設用ケーブル、１４１−０Ｙ、１４１−１Ｙ、‥‥‥、１４１−ＱＹは２８−０、２８−１、‥‥‥、２８−Ｎ同士を接続するＹ端子間接続用増設用ケーブルである。
【００１５】
図３に示す親機及子機の中継器では、図２の中継器１０１と同様に、常に、親機側コネクタのＸ接続端子は“１”（ハイレベル）の状態で、Ｙ接続端子は“０”（接地＝ローレベル）の状態である。また同様に、子機側コネクタのＸ接続端子は“０”（接地＝ローレベル）の状態で、Ｙ接続端子は“１”（ハイレベル）の状態である。
【００１６】
従って、図３において、親機の中継器３０１−０では、状態Ａが“Ｎ”（即ち、＜ＩＤ＞＝“Ｎ”）、状態Ｂが“１”（即ち、＜識別１）＞＝“１”）、状態Ｃが“０”（即ち、＜識別２）＞＝“０”）である。また、子機の中継器３０１−１〜３０１−Ｎでは、状態Ａは、子機が親機に近い順に“１”から増えた数値となっている。即ち、中継器３０１−１の＜ＩＤ＞＝“１”、中継器３０１−Ｑ（図示しない）の＜ＩＤ＞＝“Ｑ”、中継器３０１−Ｎの＜ＩＤ＞＝“Ｎ”である。
【００１７】
さらに、子機の中継器３０１−１〜３０１−Ｎにおいては、親機側コネクタのＸ接続端子は、上位の中継器の子機側コネクタのＸ接続端子（接地側）に接続されるため、必ず、状態Ｂが“０”（即ち、＜識別１＞＝“０”）である。
【００１８】
また、親機側コネクタのＹ接続端子は、接地されており、上位の中継器の子機側コネクタのＹ接続端子に接続されると、上位の中継器の子機側コネクタのＹ接続端子は、必ず、状態Ｃが“０”（即ち、＜識別２＞＝“０”）となる。
即ち、換言すれば、子機（親機でも良い）の中継器３０１−１〜３０１−Ｎにおいては、子機側コネクタのＹ接続端子は、下位の中継器の親機側コネクタのＹ接続端子（接地側）に接続されるため、必ず“０”（即ち、状態Ｃが“０”）である。
しかし、最終段の子機中継器３０１−Ｎの場合には、下位の中継器に接続されないために、Ｙ接続端子は接地されない。このため、最終段の中継器３０１−Ｎの＜識別２＞は“１”（即ち、状態Ｃは“１”）となる。
図４は、図２と図３の実施例における複数接続識別用信号である３つの状態Ａ（＜ＩＤ＞）、状態Ｂ（＜識別２＞）、状態Ｃ（＜識別２＞）を表にしたものである。
【００１９】
上述の実施例のように、各中継器の親機側コネクタと子機側コネクタを増設用ケーブルで接続することで、複数接続識別用信号（＜識別１＞（状態Ｂ）と＜識別２＞（状態Ｃ）が“０”となるようコネクタをピン配置することで、中継器内の制御部で、親機と子機の識別が可能となる。
さらにもう１つの複数接続識別用信号として、ＩＤスイッチ（状態Ａ）の設定により、子機中継器では子機番号を示し、親機中継器では子機の最終番号を設定することで、親機中継器の制御部において制御することが可能となる。
【００２０】
図５によって、本発明の中継器起動後の状態取得動作を説明する。図５は、本発明の一実施例の状態取得動作を示すシーケンス図である。
各中継器は、起動後、それぞれの制御部において、複数接続識別用信号の状態Ｂ（＜識別１＞）と状態Ｃ（＜識別２＞）の状態により、親機か子機かを決定する。そして、子機の場合には、各ＩＦ部にＩＤを付加したアドレスを割り当てる（ステップＳ５０１）。
親機は、子機１から子機Ｎまでの基地局数、指令卓数の情報を各子機より取得し、レジスタに格納することで、図６のアドレスマップを構成する（ステップＳ５０２）。
【００２１】
即ち、ステップＳ５０２では、親機が、まず、＜ＩＤ＞＜識別１＞＜識別２＞の状態を確認し、子機がない場合には、子機がないと認識する。
また、親機は、複数接続識別用信号の状態が、＜識別１＞＝“１”＜識別２＞＝“０”、及び＜ＩＤ＞＝“１”の場合には、子機１（図３の中継器３０１−１）に状態要求信号を出力する。
子機１は、自中継器を＜ＩＤ＞＝“１”とし、＜識別１＞＜識別２＞の状態を確認する。そして子機１は、複数接続識別用信号の状態が、＜識別２＞＝“１”の場合には、増設された子機がないとして、その状態信号（例えば＜識別２＞＝“０”と＜ＩＤ＞＝“１”）を親機に出力する。また、複数接続識別用信号の状態が、＜識別２＞＝“０”の場合には、下位に更に増設された子機があるとして、その状態信号（例えば＜識別２＞＝“１”と＜ＩＤ＞＝“１”）を親機に出力する。
【００２２】
親機は、子機１からの状態信号を確認し、複数接続識別用信号の状態が、＜識別２＞＝“１”の場合には、状態取得シーケンスの動作を終了する。また、＜識別２＞＝“０”の場合には、自機のＩＤスイッチについて、＜ＩＤ＞＝“２”と数値を１つ増加し、次の子機２に状態要求信号を出力する。
子機２は親機からの状態要求信号を受信し、信号中のデータから自中継器のＩＤスイッチについて、＜ＩＤ＞＝“２”とし、かつ、＜識別１＞＜識別２＞の状態を確認する。そして子機２は、複数接続識別用信号の状態が、＜識別２＞＝“１”の場合には、増設された子機がないとして、その状態信号（例えば＜識別２＞＝“０”と＜ＩＤ＞＝“１”）を親機に出力する。また、複数接続識別用信号の状態が、＜識別２＞＝“０”の場合には、下位に更に増設された子機があるとして、その状態信号（例えば＜識別２＞＝“１”と＜ＩＤ＞＝“２”）を親機に出力する。
【００２３】
以降、同様の処理を継続し、親機は、子機１〜Ｎからの状態信号を確認し、複数接続識別用信号の状態が、＜識別２＞＝“１”の場合には、状態取得シーケンスの動作を終了する。
上記中継器の起動は、中継器の増設の都度必ず必要であるので、増設の都度状態取得シーケンスが実行される。
【００２４】
親機はこのＩＤを付加したアドレスにアクセスすることで、各子機の制御を可能とすることができる。
図６は、上記動作シーケンスによって取得された、親機及び子機のアドレスマップの一例である。
即ち、親機は、最初、ケース（０）で、増設される中継器が無い状態のアドレス“００＋アドレス”（即ち、＜ＩＤ＞＝“００”＋“アドレス”）である。
次に、すぐ下位に接続された子機１から応答があった時点で、１台分の子機が増設されたとして、ケース（２）で、親機は、アドレスを“１”増加し、“０１＋アドレス”（即ち、＜ＩＤ＞＝“０１”＋“アドレス”）とする。
以降、Ｎ台まで、繰り返し、ケース（Ｎ）のように、親機のアドレスは“Ｎ”増加し、“Ｎ＋アドレス”（即ち、＜ＩＤ＞＝“Ｎ”＋“アドレス”）となる。
【００２５】
以上述べたように、本発明による中継器は、基地局と指令卓とその間を接続するために使用する中継器とから構成される通信システムにおける中継器において、制御部、ＩＤスイッチ、前記制御部と上位の中継器（例えば、親機）とにＨＩレベルで接続するＸ接続端子、及び、接地されるＹ接続端子を具備する親機側コネクタ、並びに、前記制御部と下位の中継器とにＨＩレベルで接続するＹ接続端子、及び、設置されるＸ接続端子を具備する子機側コネクタ、を備えたことを特徴とする。
【００２６】
また、本発明による中継器の接続状態取得方法は、起動時に、親局側の中継器の制御部は、複数接続識別信号の状態を確認し、下位に増設された中継器があると判断した場合には、下位の中継に状態要求信号を出力し、下位の状態応答信号によって増設された中継器のアドレスマップを取得することによって、中継器の増設状態を確認することを特徴とする。
また、好ましくは、本発明による通信システムは、無線基地局と、前記無線基地局を操作するための指令卓と、前記無線基地局と前記指令卓とを接続するための中継器とから構成される通信システムであって、親局側の中継器が、複数接続識別信号の状態を確認することによって、増設時も含めて、起動時に、自動的に接続状態を確認することを特徴とする。
【図面の簡単な説明】
【００２７】
【図１】本発明の中継システムの一実施例の構成を示す図。
【図２】本発明の中継器が１台の場合の複数接続識別用信号の一実施例を説明するための図。
【図３】本発明の中継器が親機１台と子機Ｎ台の場合の複数接続識別用信号の一実施例を説明するための図。
【図４】本発明の複数接続識別用信号の一実施例の状態表を示す図。
【図５】本発明の一実施例の状態取得動作を示すシーケンス図。
【図６】本発明の一実施例の親機アドレスマップを示す図。
【符号の説明】
【００２８】
１２−１、‥‥‥、１２−Ｍ：基地局側ＩＦ、  １３−１、‥‥‥、１３−Ｌ：指令卓側ＩＦ、  １５：制御部、  １６、１６−０、１６−１、‥‥‥、１６−Ｎ：親機側コネクタ、  １７、１７−０、１７−１、‥‥‥、１７−Ｎ：子機側コネクタ、  ２０、２０−０、２０−１、‥‥‥、２０−Ｎ：接続端子、  ２１、２１−０、２１−１、‥‥‥、２１−Ｎ：接続端子、  ２２、２２−０、２２−１、‥‥‥、２２−Ｎ：接続端子、  ２３、２３−０、２３−１、‥‥‥、２３−ＮはＩＤスイッチ、  ２４、２４−０、２４−１、‥‥‥、２４−Ｎ：Ｘ接続端子、  ２５、２５−０、２５−１、‥‥‥、２５−Ｎ：Ｙ接続端子、  ２６、２６−０、２６−１、‥‥‥、２６−Ｎ：ハイレベル（“１”）に電位を印加するため電気部品、  ２９、２９−０、２９−１、‥‥‥、２９−Ｎ：ハイレベル（“１”）に電位を印加するため電気部品、  ２７、２７−０、２７−１、‥‥‥、２７−Ｎ：Ｘ接続端子、  ２８、２８−０、２８−１、‥‥‥、２８−Ｎ：Ｙ接続端子、  １０１、１０１−０、１０１−１、‥‥‥、１０１−Ｎ：中継器、  １２０−１、‥‥‥、１２０−Ｍ、１２１−１、１２１−２、‥‥‥、１２Ｎ−１、１２Ｎ−２：基地局、  １３０−１、‥‥‥、１３０−Ｌ、１３１−１、１３１−２、‥‥‥、１３Ｎ−１、１３Ｎ−２：指令卓、  １４１−０、１４１−１、‥‥‥、１４１−Ｑ：増設用ケーブル、  １４１−０Ｘ、１４１−１Ｘ、‥‥‥、１４１−ＱＸ：Ｘ端子間接続用増設用ケーブル、  １４１−０Ｙ、１４１−１Ｙ、‥‥‥、１４１−ＱＹ：Ｙ端子間接続用増設用ケーブル、  ３０１−０、３０１−１、‥‥‥、３０１−Ｎ：中継器。
【図１】
2010141503.tif 000003
【図２】
2010141503.tif 000004
【図３】
2010141503.tif 000005
【図４】
2010141503.tif 000006
【図５】
2010141503.tif 000007
【図６】
2010141503.tif 000008